(57)【特許請求の範囲】
【請求項１】
廃プラスチック溶融物がニッケルまたはニッケル合金触媒と接触して、脱水素化され分解される廃プラスチック溶融物を第１の触媒反応にさらす段階と、
脱水素化され分解された廃プラスチック溶融物及び珪酸塩アルミナ固体酸触媒を、流動性触媒分解器中に上から下に入れて該脱水素化され分解された廃プラスチック溶融物の流動性触媒分解を行う第２の触媒反応段階と、
その分解物を、ガソリン基留分とケロシン留分とディーゼル油留分とに分留する分留段階と、
を含むことを特徴とする廃プラスチックを用いてガソリンとケロシン及びディーゼル油を連続的に製造する方法。
【請求項２】
前記第１の触媒反応段階が、３５０℃乃至３７０℃の温度で行われることを特徴とする請求項１に記載の方法。
【請求項３】
前記流動性触媒分解を行う前記第２の触媒反応段階が、５００℃乃至５５０℃の温度で行われることを特徴とする請求項１に記載の方法。
【請求項４】
流動性触媒分解を行う前記第２の触媒反応段階後に、スチームを前記流動性触媒分解器の底部に導入して、触媒粒子の表面上に存在する未蒸発オイルを蒸発させる段階をさらに含むことを特徴とする請求項３に記載の方法。
【請求項５】
前記流動性触媒分解器から前記導入された触媒粒子を回収する段階と、回収された触媒粒子を空気と混合し、触媒粒子上に残留するコークスを酸化させて除去する段階と、をさらに含むことを特徴とする請求項１に記載の方法。
【請求項６】
前記第１の触媒反応段階の前に、廃プラスチックを破砕し溶融させる廃プラスチック前処理段階と、廃プラスチック中の不純物を沈殿させる段階とをさらに含むことを特徴とする請求項１に記載の方法。
【請求項７】
前記前処理段階での溶融は、水分含量を１０％以下に維持するように一次的に溶融させ、溶融物の温度を３４０℃乃至３６０℃の温度に昇温させるように二次的に溶融させることにより行われ、前記不純物沈殿段階は、３４０℃乃至３６０℃の温度で行われることを特徴とする請求項６に記載の方法。
【請求項８】
ＨＣｌやＡｌＣｌ３またはＳｂＣｌ３からなる超酸触媒を用いて前記ガソリン基留分を改質させる第３の触媒反応段階をさらに含むことを特徴とする請求項１に記載の方法。
【請求項９】
前記ガソリン基留分が前記超酸触媒と１／５０乃至１／１００モル比の配合比で配合されることを特徴とする請求項８に記載の方法。
【請求項１０】
前記第３の触媒反応段階からの改質されたガソリン基留分及び触媒を水と混合する段階と、その混合物を定置する段階と、その混合物の水層をドレーンして中和させる段階とをさらに含むことを特徴とする請求項８に記載の方法。
【請求項１１】
前記第３の触媒反応段階後に、前記改質されたガソリン基留分を気液接触方式を用いて低圧ガス分離する段階をさらに含むことを特徴とする請求項８に記載の方法。
【請求項１２】
前記分留段階からの前記ケロシン留分とディーゼル油留分、及び前記低圧ガス分離段階からの前記改質されたガソリン基留分を、それぞれ酸と混合し、それぞれの留分から酸を分離し、それぞれの留分をアルカリと混合し、それぞれの留分からアルカリを分離することによって、それぞれの留分を精製する段階をさらに含むことを特徴とする請求項１１に記載の方法。
【請求項１３】
前記精製段階からの前記ガソリン基留分を、計測分析によりモニタする段階と、計測分析結果によって前記ガソリン基留分に添加剤を添加することによって、前記ガソリン基留分が法規に符合するオクタン価及び蒸留性を有するようにする段階とをさらに含むことを特徴とする請求項１２に記載の方法。
【請求項１４】
前記添加剤が、酸化防止剤、Ｃ４軽質高オクタン価添加剤及び／またはＣ４重質高オクタン価添加剤、Ｃ５乃至Ｃ７の飽和炭化水素からなる低沸点低オクタン価添加剤及び／またはＣ５乃至Ｃ７のノルマルパラフィンからなる低沸点低オクタン価添加剤、メチルｔ−ブチルエーテルからなる低沸点高オクタン価添加剤、及びそれらの組合よりなる群から選択されるものであることを特徴とする請求項１３に記載の方法。
【請求項１５】
廃プラスチック溶融物を、ニッケルまたはニッケル合金触媒からなるインペラと接触させて脱水素化分解する反応器と、
前記反応器で該脱水素化され分解された廃プラスチック溶融物及び珪酸塩アルミナ固体酸触媒を、上から下に入れて該脱水素化され分解された廃プラスチック溶融物の流動性触媒分解を行う流動性触媒分解器と、
前記流動性触媒分解器で分解された分解物を、ガソリン基留分とケロシン留分とディーゼル油留分とに分留する分留手段と、
を含むことを特徴とする廃プラスチックを用いてガソリンとケロシン及びディーゼル油を連続的に製造するシステム。
【請求項１６】
前記分留手段は、前記流動性触媒分解器の上部から離隔された位置に配置された圧力調節手段を介して前記流動性触媒分解器に連通する分留柱を含む、請求項１５に記載のシステム。
【請求項１７】
前記流動性触媒分解器の外部に配置され、前記流動性触媒分解器の底部に落下した触媒粒子のうち、所望のサイズの触媒粒子のみを選別するサイクロンと、空気噴射器及び排気圧調節器を備え、前記サイクロンから移送された触媒を再生させ、再生された触媒を前記流動性触媒分解器に回送するニッケル−モリブデンからなる触媒再生器と、をさらに含むことを特徴とする請求項１５に記載のシステム。
【請求項１８】
前記反応器に連通する廃プラスチック溶融器と、前記廃プラスチック溶融器の外部に配置され、前記廃プラスチック中の不純物を除去する沈殿槽とをさらに含むことを特徴とする請求項１５に記載のシステム。
【請求項１９】
前記分留柱の上部と下部がそれぞれ連通しており、前記分留柱の上部は、ガソリン基留分再循環タンク及びサージタンクに連通しており、前記分留柱の中間部は、ケロシン留分精製手段に連通しており、前記分留柱の下部は、ディーゼル油留分精製手段に連通していることを特徴とする請求項１６に記載のシステム。
【請求項２０】
前記分留柱が、バブルキャップタイプのトレイを有するアスペン分留柱であることを特徴とする請求項１６に記載のシステム。
【請求項２１】
前記サージタンクから流れ出るガソリン基留分を加熱するための予熱器と、超酸からなる改質触媒を貯蔵する貯蔵槽と、前記予熱器からの前記ガソリン基留分を前記貯蔵槽からの改質触媒と混合する第１のスーパーミキサーとをさらに含むことを特徴とする請求項１９に記載のシステム。
【請求項２２】
前記スーパーミキサーから移送された前記混合物中の前記ガソリン基留分を改質させる改質反応器と、改質されたガソリン基留分と水を混合する第２のスーパーミキサーと、前記第２のスーパーミキサーに連通しており、相分離器の役目をする第１の精製タンクとをさらに含むことを特徴とする請求項２１に記載のシステム。
【請求項２３】
前記第１の精製タンクからの前記改質されたガソリン基留分を気液接触させて、低圧ガスを分離する液体接触収集器と、前記分留柱から流れ出た前記ケロシン留分と前記ディーゼル油留分及び前記液体接触収集器からの前記ガソリン基留分を各々精製する酸混合槽及び酸分離槽と、前記酸分離槽に連通するアルカリ混合槽及びアルカリ分離槽とをさらに含むことを特徴とする請求項２２に記載のシステム。
【請求項２４】
前記アルカリ分離槽から流れ出た前記ガソリン基留分に対して計測分析した結果によって、前記ガソリン基留分が法規に符合するオクタン価及び蒸留性を有するように多様な添加剤を添加する少なくとも一つの配合器と、前記配合器に連通しており、前記添加剤を貯蔵する役目をする少なくとも一つの添加剤配合槽とをさらに含むことを特徴とする請求項２３に記載のシステム。
【請求項２５】
前記添加剤が配合された前記ガソリン基留分を濾過するフィルタと、前記ガソリン基留分を脱色させる活性炭吸収器とをさらに含むことを特徴とする請求項２４に記載のシステム。
【発明の詳細な説明】
【０００１】
（技術分野）
本発明は、一般に、廃プラスチックを用いてガソリンとケロシン及びディーゼル油を連続的に製造する方法及びシステムに関する。本発明は、より詳しくは、廃プラスチックを脱水素化分解した後、得られた廃プラスチックを流動性触媒で分解することを含み、特に小規模の設備用に適合した、ガソリンとケロシン及びディーゼル油の連続的製造方法及びそのシステムに関する。また、本発明は、ガソリン基留分を高分率で収得できると共に、環境保存及び資源リサイクルの観点から特に有用である。
【０００２】
（背景技術）
近年、廃プラスチックのリサイクルは、環境保存とエネルギーリサイクルの観点から全世界的に大きい関心が集中しており、多様に研究されている。廃プラスチックのリサイクル分野の一つとして、廃プラスチックの燃料化がある。
【０００３】
従来、廃プラスチックの燃料化方法の大部分は、ケロシン、ディーゼル油、及び／またはその混合油の生産を可能にする。しかし、廃プラスチック原料の前処理、分解、分留及び精製などのような工程及び設備に関連した技術的問題に起因して、廃プラスチックを用いてガソリン、特に自動車用ガソリンを生産したということは報告されていない。
【０００４】
通常、ガソリンは、原油の改質蒸留、重合、触媒クラッキング及びアルキル化などにより得られる揮発性の可燃性液体炭化水素類を称する。多くの国では、ガソリンに対してオクタン価、蒸留性及び鉛や硫黄成分などのような有害物質の含量許容値などを法で定めている。特に、オクタン価及び蒸留性は、自動車内燃機関用燃料において最も重要視される品質規格である。精油工場で生産されるガソリンは、原油の常圧蒸留時に生成されるナフサを水素添加分解し、高沸点留分を改質させて得られた生成物と、ＦＣＣＵ（Ｆｌｕｉｄ  Ｃａｔａｌｙｔｉｃ  Ｃｒａｃｋｉｎｇ  Ｕｎｉｔ、流動性触媒分解ユニット）での生成物との混合物に、低オクタン価又は高オクタン価の低沸点又は高沸点留分を混合することにより、法規で定めている品質規格に合わせる。それ故に、ガソリンの生産のために廃プラスチックを利用することは、品質規格を合わせることが困難である。
【０００５】
ポリマー重合体である廃プラスチックは、その分解特性上、単純熱分解時には、主としてワックス粉が生成され、ガソリンとケロシン及びディーゼル油留分は殆ど生成されないという問題点がある。
【０００６】
したがって、上述したような問題の解決策として、固体酸を触媒として利用する熱分解方法が提案されている。これらの方法は、Ｃ１乃至Ｃ３廃ガスとＣ８乃至Ｃ２５ケロシン及びディーゼル油の混合油が主に生成され、ガソリンの主成分である４乃至７炭素原子の留分は、良好な歩留まりで生成されないという短所があった。結果的に、廃プラスチックのリサイクルは、ただ混合油に限定されている。
【０００７】
このような短所に加えて、上述した熱分解方法は、廃プラスチック溶融物を触媒クラッキングする間に生成されるコークスと重合物が、直ぐに触媒表面に対する遮断膜を形成することによって、触媒活性が急激に低下する触媒毒現象が発生するという問題がある。それ故に、単純熱分解されたガスオイルを、触媒が充填された固定ベッド（Ｆｉｘｅｄ  Ｂｅｄ）化学反応器中に通過させることによって、上述したガスオイルを部分的に分解及び異性化させる方法が使用される。しかし、この方法は、固定ベッド内の温度が熱分解温度よりも低いため、反応転換率に深刻な限界がある。さらに、この方法では、触媒毒現象による触媒の再生及び交替に多くの費用がかかり、且つ、複雑である。このような短所のため、この方法は、商業化設備に適用するのに限界がある。また、この方法は、ガソリン留分の生成比率が相対的に低いことから、ガソリン生産設備としては適切であると認められない。
【０００８】
（発明の開示）
本発明の第１の目的は、廃プラスチックから良質のガソリン基留分を高分率で得ることができるガソリンとケロシン及びディーゼル油の連続的製造方法を提供することにある。
【０００９】
本発明の第２の目的は、廃プラスチックの効率的なリサイクルにより環境保存に寄与できるガソリンとケロシン及びディーゼル油の連続的製造方法を提供することにある。
【００１０】
本発明の第３の目的は、上述した第１及び第２の目的によるガソリンとケロシン及びディーゼル油の連続的製造システムを提供することにある。
前記本発明の第１の目的を達成するための好ましい一態様に従えば、廃プラスチックを脱水素化し分解する第１の触媒反応段階と、脱水素化され分解された廃プラスチック溶融物を、流動性触媒で分解して、ガソリン基留分を高分率で生成させる段階と、その結果物を、ガソリン基留分とケロシン留分とディーゼル油留分とに分留する段階とを含むことを特徴とするガソリンとケロシン及びディーゼル油の連続的製造方法が提供される。
【００１１】
本発明の第２の目的を達成するための他の好ましい態様に従えば、第１の目的を達成するために上述した分留段階に続いて、ガソリン基留分を改質させる段階をさらに含むことを特徴とするガソリンとケロシン及びディーゼル油の連続的製造方法が提供される。
【００１２】
本発明の第１及び第２の目的を達成するためのさらに他の好ましい態様に従えば、上述した改質段階に続いて、改質されたガソリン基留分を低圧ガス分離する段階と、上述した分留段階で分留されたケロシン留分とディーゼル油留分、及び上述した低圧ガス分離段階を経て改質されたガソリン基留分の各々を精製する段階と、精製されたガソリン基留分に対して計測分析結果によって少なくとも１つ以上の添加剤を添加して、その結果物が法規に符合するオクタン価及び蒸留性を有するようにする段階とをさらに含むことを特徴とするガソリンとケロシン及びディーゼル油の連続的製造方法が提供される。
【００１３】
本発明の第３の目的を達成するための好ましい態様に従えば、廃プラスチック溶融物と珪酸塩アルミナ系固体酸触媒粒子を、上から下に入れて分解し異性化する流動性触媒分解器と、前記流動性触媒分解器の外側に配置され、下部に落下した触媒粒子のうち、所望のサイズの触媒粒子のみを選別するサイクロンと、空気噴射器及び排気圧調節器を備え、サイクロンから移送された触媒を再生し、再生された触媒を前記流動性触媒分解器に回送するニッケル−モリブデン系触媒再生器とを含むことを特徴とする廃プラスチックからガソリンとケロシン及びディーゼル油を連続的に製造するシステムが提供され、スチームイジェクタにより生成された蒸気が前記流動性触媒分解器の下部から導入され、前記流動性触媒分解器中の触媒表面に未蒸発状態で残存する留分を蒸発させ、前記流動性触媒分解器は、その上部の圧力調節手段を介して分留柱に連通している。
【００１４】
本発明の第３の目的を達成するための他の好ましい態様に従えば、前記システムで言及された構成要素に加えて、廃プラスチック溶融物をニッケルまたはニッケル合金触媒インペラと接触させて脱水素化し分解する反応器をさらに含むことを特徴とするガソリンとケロシン及びディーゼル油の連続的製造システムが提供され、この反応器は、流動性触媒分解器及び触媒再生器に連通している。
【００１５】
本発明の第３の目的を達成するためのさらに他の好ましい態様に従えば、前記システムで言及された構成要素に加えて、超酸改質触媒のための貯蔵槽と、ガソリン基留分を前記改質触媒と混合するための第１のスーパーミキサーと、改質反応器とをさらに含むことを特徴とするガソリンとケロシン及びディーゼル油の連続的製造システムが提供される。
【００１６】
本発明のさらに他の目的及び特徴は、添付の図面を参照する下記の実施例の説明から明らかになるであろう。
【００１７】
（発明を実施するための最良の形態）
本発明によるシステムは、連続的生産方式を採用しており、下記のような構成要素を有する。
第一に、廃プラスチック原料の前処理及び溶融装置と、選択的構成要素である不純物除去装置。
【００１８】
第二に、廃プラスチック溶融物を脱水素化し分解する第１の反応器。
第三に、脱水素化され分解された廃プラスチック溶融物を流動性触媒で分解して、高分率のガソリン基留分とケロシン及びディーゼル油留分を生成する第２の反応器。
【００１９】
第四に、効率的で且つ正確な分離のための工程変動減衰機能を有する選択的構成要素であるアスペン（Ａｓｐｅｎ）分留柱。
第五に、ガソリン基留分を高オクタン価のガソリン基留分に改質させる第３の反応器。
【００２０】
第六に、ガソリン基留分とケロシン及びディーゼル油留分に含有された各種添加剤を除去して、該添加剤を法規で定めた規定値未満の含量に低減する選択的構成要素である沈殿分離タンク。
【００２１】
第七に、法規に符合するガソリンを製造するために、ガソリン基留分の計測分析をバッチ式（ｂａｔｃｈｗｉｓｅ）または連続的に行って得られた分析結果によって、ブレンドストックを用いて留分を配合し、留分のオクタン価及び蒸留性を法規で定めた規定値に符合させる選択的構成要素である配合器。
【００２２】
本発明によって廃プラスチックからガソリンとケロシン及びディーゼル油を生産するための連続的製造方法は、分留柱内の触媒分解された気体状態の留分から得られたケロシン留分及びディーゼル油留分が前記流動性触媒分解段階で既に相当な水準に改質されていることから、異性化された留分が豊富であるという長所を有する。これにより、ケロシン留分とディーゼル油留分の氷点が低くなって、相対的に使用頻度の高い冬季または寒い地方での運搬及び保管による問題がない。さらに、これらは、燃料の品質規格に符合する。
【００２３】
以下、添付の図面を参照して本発明を詳細に説明する。説明の便宜上、図１の符号は、図２Ａ及び図２Ｂにおいても同様に参照される。
図１は、本発明の一実施例によってガソリンとケロシン及びディーゼル油を連続的に製造する方法を概略的に示すフローチャートであり、図２Ａ及び図２Ｂは、本発明のシステムを概略的に示す図である。以下、工程段階の順序にしたがって図面を参照して説明する。
【００２４】
まず、破砕及び選別段階と、溶融段階と、不純物沈殿段階とで構成される前処理が行われる。破砕及び選別段階では、収集された廃プラスチックが移送及び溶融が容易なチップサイズに破砕され、不純物が選別されて除去される。本発明において、破砕された廃プラスチックのサイズは重要でない。廃プラスチックの破砕速度は、例えば、１０００Ｋｇ／ｈｒ程度であるが、これは、破砕設備の規模に応じて変化できることは言うまでもない。
【００２５】
一方、ここで使われる「廃プラスチック」という用語は、天然及び合成樹脂を総称する。好ましくは、この廃プラスチックが熱可塑性樹脂類を示すが、熱硬化性樹脂を排除するものではない。より好ましくは、この廃プラスチックがポリエチレンとポリプロピレン及びポリスチレンなどを含むが、これらに限定されるものではない。
【００２６】
次いで、溶融段階では、破砕された廃プラスチックがスクリューフィーダ４１を用いて原料溶融器１及び２内に移送され、そこで破砕され選別された廃プラスチックが溶融される。図２Ａに示された実施例では、廃プラスチックチップが第１の溶融器１内で一次的に溶融される。そして、この溶融物は、水分含量が約１０％以下とされるように脱水された後、約１５０℃に昇温される。その後、この溶融物がスクリューフィーダ４２により第２の溶融器２内に導入され、約３４０乃至３６０℃まで再度昇温され、その中で二次的に溶融される。二次的に溶融された廃プラスチックは、原料溶融タンク３内に導入され、モーター８１によって回転する回転翼８３によって撹拌される。原料溶融タンク３の底に沈殿された土及び微細な不純物などは、放出スクリュー４４を用いてシステムから除去される。
【００２７】
廃プラスチックは、溶融タンク３内で完全に均質となるように溶融される。不純物沈殿段階では、均質な廃プラスチック溶融物は、循環ポンプ５１により沈殿タンク５中に加えられ、この沈殿タンク５は、約３４０℃乃至３６０℃の温度に維持され、その底部が傾斜している。沈殿タンク５では、土及び微細な不純物などが沈殿されて除去される。一方、循環ポンプ５１によって移送される廃プラスチック溶融物は、第１の外部循環加熱器４からの熱で損失熱を補償されて、約３５０℃の温度に維持される。例えば、廃プラスチックの破砕速度が、上述したようならば、溶融物の移送速度は、例えば、約５０００ＬＰＭ（ｌｉｔｅｒ  ｐｅｒ  ｍｉｎｕｔｅ）程度であるが、これもやはり変更できる。沈殿タンク５の底に沈殿された土及び微細な不純物などは、放出スクリュー４３を用いてシステムから除去される。沈殿タンク５は、ヒーター（図示せず）を具備することもできる。
【００２８】
次いで、脱水素化及び分解反応段階（第１の触媒反応段階）が行われる。この段階では、上述した前処理段階で不純物が除去された廃プラスチック溶融物が、計量ポンプ５２を介して一定の流速（上述した破砕速度である場合、約１５乃至１８ＬＰＭ）で第１の反応器６内に導入される。導入された廃プラスチック溶融物は、約３５０℃乃至３７０℃の温度でモーター８２によって回転する触媒インペラ８６（好ましくは、ニッケルまたはニッケル合金で製造されたインペラ）と接触することによって、脱水素化され分解される。また、反応率及びアウトプットを考慮すると、インペラｒｐｍ／インペラ／流速を（例えば、上述した破砕速度の場合、１８０ｒｐｍ／８ブレード−４段ディスクタービン／５ｃｍ／ｍｉｎで）制御することによって、流速に対する反応セグメントが約１０乃至２０μｍ未満とされるように制御することが良い。第１の反応器内での原料の滞留時間は、約２０乃至３５分である。
【００２９】
特に、インペラは、廃プラスチック原料の流れが栓流（ｐｌｕｇ  ｆｌｏｗ）に維持されるように、多段タービンブレードタイプが良い。バッフルとディスク孔は、栓流の維持のための補助的役目をすることが有利である。
【００３０】
ニッケル合金触媒は、例えば３５０℃乃至３７０℃の高温でのポリマーの脱水素化及びポリマーのウィークポイントでの分解を同時に行う。この段階では、熱分解や触媒分解がまだ本格的に起こらないので、触媒表面上に遮断膜を形成することによる触媒毒の問題が全然起こらない。
【００３１】
この脱水素化及び分解段階によって、原料の分子量が１／８乃至１／１２と減少する。
上述した第１の反応器６に対する熱供給は、第２の外部循環加熱器７を用いたポンプ５３の作動により行われる。第１の反応器６の外部には、ヒーター８５が設けられることもできる。
【００３２】
次いで、第１の触媒反応、すなわち脱水素化及び分解段階を経た廃プラスチック溶融原料は、流動性触媒分解が行われる。高圧ポンプ５４により移送される原料は、約５００℃乃至５５０℃の温度に維持された流動性触媒分解管１０ａ内の狭い空間で、触媒再生器８から導入される触媒と激しく反応する。そのように反応しながら、原料は、（上述した破砕速度である場合）約１０ｋｇ／ｃｍ２の圧力と約１５乃至１８ＬＰＨの流速で流動性触媒分解器１０（第２の反応器）中に導入される。原料の反応は、流動性触媒分解器１０内で完了され、触媒は、流動性触媒分解器１０の底に落下する。このような反応により、原料は、触媒との接触時、瞬間的に分解された後、体積が約１８倍と膨脹される。このような膨脹と同時に、原料は、触媒の気孔中に急速に拡散されて、再度分解され異性化される。
【００３３】
上記反応で用いられる触媒としては、一般的な珪酸塩アルミナ（ＳｉＯ２−Ａ１２Ｏ３）固体酸触媒が好ましいが、これに限定されるものではない。約５００℃乃至５５０℃の温度で分解された低分子量の気体が触媒内部の広い気孔面と接触しながら改質及び芳香族化が進行される。
【００３４】
原料が流動性触媒分解器を通過する時間は、拡散速度に応じて定められる。また、触媒は、上から下に投入されることから、設備のサイズを低減することができ、設備コストを節減できるので、好ましい。
【００３５】
流動ベッドを通過した触媒とガス状態のオイルは、第２の反応器１０で互いに分離される。このようにしながら、原料の９０％以上が最終的に分解されるように、熱平衡及び物質平衡を制御することが好ましい。このような制御は、当業者にとって自明である。
【００３６】
触媒から離脱しない気体状態のオイルは、スチーム発生器１１から生成され、１４％モル比で第２の反応器１０の下部に供給されるスチームの蒸発に伴って蒸発される。結果的に、１０％未満の気体状態のオイルのみが、未蒸発状態で残留するようになる。
【００３７】
第２の反応器としての流動性触媒分解器１０の上部から上方に離隔された位置には、排気圧調節手段９３が設けられている。この排気圧調節手段は、分解器１０の圧力を分留柱１２の下部（分解器に連通する部分）の圧力よりも常に高く維持して、分留柱１２からの逆流を防止する。
【００３８】
第２の反応器としての流動性触媒分解器１０の下部から離隔された位置には、約５ｋｇ／ｃｍ２の圧力で空気を放出するイジェクタ（図示せず）が配置されている。このイジェクタは、分解器１０から下方に落下する触媒粒子を、触媒再生器８に連通する外部サイクロン９０に移送する。このような外部サイクロン９０からブリッジで形成された触媒粉末が貯蔵槽９１内に回収されて除去され、残りの触媒粒子は、約４６０℃乃至約４９０℃の温度で触媒再生器８中に導入される。
【００３９】
触媒再生器８内には、（上述した破砕速度である場合の熱平衡のための速度である）１９．７Ｋｇ／ｍｍの流速で空気が投入されて約６５０℃に維持されながら、触媒中に残存するコークスを全て酸化させる。触媒循環量は、熱樹脂により決定される。これは、初期加熱以外に別の加熱をしないという意味である。上述した破砕速度である場合、触媒循環量は、約１００乃至１０５Ｌ／ｍｍである。一方、熱平衡及び物質平衡に関係なく温度を制御する場合、まだ再生されない触媒により流動ベッドでの反応効率が減少したり、高温による触媒再生器８の崩壊現象が発生することができる。触媒再生器８の材質は、例えば、商業的に購買可能なＩｎｃｏｌｌｏｙ ８００ ＨＴなどのようなＮｉ−Ｍｏ合金からなる。
【００４０】
触媒再生器８の下部には、遮断機能を有するグリッドが配置されていて、空気噴射器（Ａｉｒ  Ｄｉｓｔｒｉｂｕｔｅｒ）が連結されている。グリッドと空気噴射器は、触媒再生器８の揚程を克服するのに充分な圧力を供給できるように設計する。グリッドは、約１．５ｍｍの直径を有する約１，８００個の空気孔を有する。触媒再生器８の上部から離隔された位置には、外部サイクロン９０及び排気圧調節手段９２が配置される。排気圧調節手段９２は、触媒再生器８の圧力を流動性触媒分解器１０及び分留柱１２の下部（分解器１０に連通する部分）の圧力よりも常に高い圧力に維持して、分留柱１２及び触媒分解器１０からの逆流を防止する。
【００４１】
その後、分留段階が行われる。この分留段階では、第１の反応器６の上部から排出される気体状態のオイル、及び第２の反応器である流動性触媒分解器１０により分解され異性化された気体状態のオイルは、分留柱１２で気体と液体間に接触する。このような気液接触により、気体状態のオイルがディーゼル油留分とケロシン留分及びガソリン基留分などに分離される。このような分留柱において、段数及びトレイタイプは、正確な分離効率を考慮して決定される。上述した破砕速度の場合、６００ｍｍの直径と、２１個の段数及びバブルキャップタイプを有する分留柱を使用することができる。それぞれの放出ラインは、ポンプを有し、それぞれの留分は、正確に計算された温度に制御される。ケロシン留分は、約１６０℃乃至２００℃の温度、ディーゼル油留分は、約２４０℃乃至３２０℃の温度、分留柱の底から液化したオイルは、約３５０℃乃至３８０℃の温度に制御される。分留柱１２の底から流れ出る液化オイルは、分留柱１２内で一定のレベルを維持しながら、ポンプ６１を用いて第１の反応器６に回送させる。
【００４２】
分留柱１２の下部及び中間部分で流れ出るディーゼル油留分及びケロシン留分は、各々ポンプ５０及びポンプ５８により精製段階に移送される。
一方、分留柱１２の上部から流れ出たガソリン基留分は、改質段階を経由するようになる。ガソリン基留分は、分留柱１２で回送比により分留柱１２に回送されながら、気液接触方式によりガソリン基留分再循環タンク１３に一旦貯蔵される。その後、タンク１３からの下部生成物は、ポンプ５７により分留柱１２に回送され、収集されたガソリン基留分は、２５℃で凝縮され、サージタンク１４に貯蔵される。サージタンク１４の上部から排出された低圧ガスは、低圧ガス収集器（液体接触器）２３に移送され、そこで分離される。
【００４３】
一方、サージタンク１４からのガソリン基留分は、ポンプ６０により予熱器１５に移送され、９０℃乃至１２０℃に予熱される。その後、予熱された留分は、改質触媒貯蔵タンク９５からポンプ６２により移送された改質触媒と一緒に、第１のスーパーミキサー１６により分散され、攪拌され均質化される。このように均質化された混合物は、異性化され、上述した破砕速度の場合、約８乃至１２ＬＰＭの流速で第３の反応器としての改質反応器１７内に導入される。
【００４４】
好ましくは、改質触媒は、ＨＣｌやＡ１Ｃ１３またはＳｂＣｌ３である超酸触媒であり、ガソリン基留分は、超酸触媒と１／５０乃至１／１００モル比の配合比で配合される。超酸触媒は、強力な酸作用により９０乃至１２０℃の温度で二重結合を誘導し、ガソリン留分を第２級カルボニウムに転換させた後、第３級カルボニウムに転換させることによって、ガソリン留分を異性化させる。この過程で、転換は、触媒の分散度に大きく左右される。しかし、触媒の粒度があまり小さければ、触媒の損失率が大きくなり、生成物を汚染させることがある。結果的に、粒子のサイズと分離時間は、相互緊密な関係がある。
【００４５】
改質段階は、強酸性環境下で進行されるので、第３の反応器１７は、耐腐食性材質からなることが要求される。第３の反応器１７では、触媒と改質されたガソリン留分は、比重に応じて分離され、分離時間は、沈降速度を計算して決定される。分離時間は、上述した破砕速度の場合、約４０分である。分離され沈殿された触媒は、２００乃至３００ｃｃ／ｍｍの速度で続いて循環され、周期的に損失分が補充される。
【００４６】
改質反応器としての第３の反応器１７から流れ出た酸蒸気は、酸収集器２１で水に溶解されて収集された後、ポンプ６６により中和タンク２２に移送されて中和される。
【００４７】
一方、上述したように、ガソリン基留分（改質された留分）は、冷却器１８を経由して、ポンプ６４により移送された水とスーパーミキサー１９で約１：１の割合で均質に混合される。
【００４８】
均質化された混合物は、第１の精製タンク２０中に定置することで、相分離される。その後、酸が溶解されている下部の水層がポンプ６８にドレーンされ、中和タンク２２に移送され、その中で中和される。
【００４９】
次いで、低圧ガス分離段階が行われる。低圧ガス分離柱２３では、サージタンク１４及び第１の精製タンク２０の上部から排出されたガスと、ポンプ６７によって第１の精製タンク２０内のオイル層から移送される改質されたガソリン基留分が、気液接触され、改質された留分とガスとに分離される。分離されたガスは、ガス解圧タンク（ノックアウトタンク）２４に移送され、分離され改質された留分は、ポンプ６９によって酸混合器２５に移送される。
【００５０】
次に、ガソリン基留分としての改質が完了した留分と、流動性触媒分解段階で分離されたケロシン留分及びディーゼル油留分が、第１の精製段階に移送される。
改質されたガソリン基留分または分留されたケロシン留分及びディーゼル油留分は、各々凝縮され、酸混合器２５の中でポンプ７０によって移送された酸溶液（例えば、１乃至２モル％の硫酸溶液）と混合され凝集される。それ故に、混合物は、沈殿分離槽としての第２の精製タンク２６に移送され、ポンプ７１によって移送されたアルカリ溶液（例えば、３乃至５モル％の水酸化ナトリウム溶液）とアルカリ混合器２７の中で混合され凝集される。その後、混合物は、沈殿分離槽としての第３の精製タンク２８に移送される。使われた酸溶液は、中和した後、廃棄され、使われた凝集アルカリ溶液は、精製した後、再使用される。第２及び第３の精製タンク２６及び２８は、上層としての留分層の下に存在し、各種添加剤が溶解されている中間層及び下層にある酸またはアルカリ凝集物を除去するために、三相系を分離できるように設計される。例えば、中間層及び下層には、ドレーン弁が設けられることができる。
【００５１】
精製段階を経たケロシン留分及びディーゼル油留分は、各々貯蔵槽（図示せず）に移送され、最終製品として貯蔵される。選択的には、このような留分は、後述する添加剤配合段階及び第２精製段階を経て貯蔵される。貯蔵された留分の各々は、燃料油として使用可能である。
【００５２】
一方、精製段階を経たガソリン基留分としての第１の精製留分は、ガソリン基留分サージタンク２９及び３０内に貯蔵される。本発明では、サージタンクの数には特別な制限がないが、連続的製法の特性を考慮して、２つ以上の複数個とすることが工程効率性の観点から好ましい。
【００５３】
ガソリン基留分サージタンク２９及び３０に貯蔵された第１の精製留分は、モニタされる。このようなモニタリングでは、留分がガスクロマトグラフィーのような適切な計測分析手段によって成分分析される。モニタリング結果によってオクタン価及び蒸留性を調節するための添加剤が適正な割合で配合され、法規に符合するガソリンを得る。
【００５４】
添加剤の貯蔵のために設けられることができるタンクとしては、酸化防止剤貯蔵タンク３１と、Ｃ４軽質高オクタン価添加剤及びＣ４重質高オクタン価芳香族添加剤などのための高オクタン価添加剤貯蔵タンク３２及び３３と、軽質低オクタン価直線型Ｃ５−Ｃ７飽和炭化水素及び軽質低オクタン価直線型Ｃ５−Ｃ７ノルマルパラフィンなどのような低沸点低オクタン価添加剤貯蔵タンク３４と、メチルｔ−ブチルエーテルなどのような低沸点高オクタン価添加剤貯蔵タンク３５などが挙げられる。
【００５５】
第１の精製留分の成分分析結果によって、適切な量の第１の精製留分がポンプ７７によって配合器３６に移送され、適切な量と種類の添加剤がポンプ７２、７３、７４、７５及び／または７６により添加剤タンク３１、３２、３３、３４、及び／または３５から配合器３６に移送される。移送された添加剤は、配合器３６の中で第１の精製留分と混合され、法規に符合する留分を作る。
【００５６】
次いで、配合器３６で配合されたガソリンは、第２の精製段階を経由するようになる。第２の精製のために、配合されたガソリンが第４の精製タンク３７に移送され、比重に応じて分離される。分離されたガソリンは、濾過器３８を介して濾過された後、濾過されたガソリンが、活性炭が充填された吸収器３９を経由して脱色処理される。次に、このガソリンは、貯蔵タンク４０に貯蔵される。
【００５７】
廃プラスチックからのガソリンとケロシン及びディーゼル油を製造する方法及びシステムでは、廃プラスチックでのポリエチレンとポリプロピレン及びポリスチレンなどの配合比が製品の品質に影響を及ぼすので、できればこのようなポリマーを一定の割合で投入することを原則とする。これに関連して、ポリマーの配合比率は、分析結果によって定める。参考として、そのような配合製造段階は、既存の精油工場でも適用されており、ガソリン製造において必須工程である。
【００５８】
また、ブレンドストックは、約１０余種程度設けられ、季節及び投入原料の配合比などのような多様なパラメーターによって場合によって適宜選択される。特に重要なことは、製品の蒸留性が法規に符合するように、ブレンドストックを付加することである。例えば、ポリスチレン樹脂が多量添加されてＣ７乃至Ｃ９芳香族成分が多く含有された場合には、Ｃ９芳香族成分の添加量を低減させる一方で、Ｃ５留分を相対的に多く配合してオクタン価を調節することが好ましい。
【００５９】
本発明の改質段階を経たガソリン基留分は、平均オクタン価が約８５乃至９０であるが、この平均オクタン価は、ブレンドストックが追加されれば、約９３乃至９６程度に上昇することができる。
【００６０】
また、本発明の製造方法及びシステムでは、廃プラスチックを１００ｗｔ％の原料として処理すれば、３９乃至４２ｗｔ％のガソリン基留分と、９乃至１２ｗｔ％のケロシン留分と、９乃至１１ｗｔ％のディーゼル油留分と、７乃至１１ｗｔ％の廃ガス、及び８乃至１１ｗｔ％の廃棄物成分を生成する。
【００６１】
下記の表１は、本発明によって製造されたガソリン基留分を使用してガソリンを製造するための配合例を示す。
【００６２】
【表１】
0004597461.tif 000002
【００６３】
以上説明したように、本発明は、廃プラスチックからガソリンとケロシン及びディーゼル油を連続的に製造する方法及びシステムを提供する。このような方法及びシステムは、第１の触媒反応された原料及び触媒粒子が下方に移動しながら、互いに接触する流動性触媒で分解する方式を採択し、循環する触媒を改質させることを含む。これにより、本発明は、高い転換率を示すことができると共に、触媒毒現象による問題を效率的に除去することができる。また、本発明は、大規模設備はもちろん、小規模設備にも商業的に適用が可能である。さらに、本発明は、ガソリン留分が相対的に非常に高い分率で生成されるようにして、廃資源リサイクル及び環境保護に大きく寄与する。
【００６４】
前述の実施例は、あくまでも、本発明の技術内容を明らかにするものであって、そのような具体例のみに限定して狭義に解釈されるべきものではなく、本発明は、本発明の技術的思想から逸脱することなく、本発明の精神と特許請求の範囲内で、種々の応用、変形を加えることが可能である。
【図面の簡単な説明】
【図１】  本発明による連続的製造方法を概略的に示すフローチャートである。
【図２Ａ】  本発明によるシステムを概略的に示す図である。
【図２Ｂ】  本発明によるシステムを概略的に示す図である。
【図１】
0004597461.tif 000003
【図２Ａ】
0004597461.tif 000004
【図２Ｂ】
0004597461.tif 000005